(57)【要約】      （修正有）【課題】リムーバブル情報記憶媒体を収容及び格納用の装置の各ジャックから引き抜かずに各情報読取り及び／又は記録装置に接続する装置を提供する。【解決手段】各電気接点２を有するリムーバブル情報記憶媒体１を収容及び格納する本装置は、リムーバブル情報記憶媒体１を固定するための２つ以上のジャック４を含む本体３を備えており、各ジャック４のそれぞれにはリムーバブル記憶媒体１の各電気接点２に対応する各電気接点５が設けられ、前記装置には１つ以上のジャック４の各電気接点５を情報読取り及び／又は記録装置に接続できるように設計されたスイッチボードが設けられている。リムーバブル情報記憶媒体を収容及び格納用の装置の各ジャックから引き抜かずに各情報読取り及び／又は記録装置に接続することを可能にする。【選択図】図１
0003168039.tif 000002
【実用新案登録請求の範囲】
【請求項１】
各電気接点を有するリムーバブル情報記憶媒体を収容及び格納する装置であって、前記リムーバブル情報記憶媒体を固定するための２つ以上のジャックを含む本体を備えており、前記各ジャックのそれぞれには前記リムーバブル記憶媒体の前記各電気接点に対応する各電気接点が設けられ、前記装置には１つ以上のジャックの前記各電気接点を情報読取り及び／又は記録装置に接続できるように設計されたスイッチボードが設けられていることを特徴とする装置。
【考案の詳細な説明】
【技術分野】
【０００１】
本実用新案は、特にフラッシュカードといった、各電気接点を有する情報記憶媒体を収容、格納及び移送する装置に関する。
【背景技術】
【０００２】
特許文献１を参照すると、既知の携帯型情報記憶装置「Vosonic X’s Drive Pro VP 300」は、フラッシュカードを挿入するための各ジャック付カードリーダを備えている。この装置は、一つのフラッシュカードから別のフラッシュカードへの情報の転送を可能にするが、各フラッシュカードからパーソナルコンピュータなどの情報読取り及び／又は記録装置に情報を直接交互に転送できない。
【０００３】
ドライブシャトル（drive shuttle）「Case Logic JDS-2」を参照する（http://www.techhome.ru/catalog/computer/8400116A62.htm（リンクのコピーを添付する））と、各電気接点を有するリムーバブル情報記憶媒体、すなわちフラッシュカードを収容及び格納する別の既知の装置は、リムーバブル情報記憶媒体を固定するための二つのジャックを有する本体を備えている。
【０００４】
この装置は本実用新案の原型として見なされる。該装置は各フラッシュカードを格納できるようにし、フラッシュカードの各電気接点を破損やほこりから守る。
【０００５】
しかしながら、この装置は、記憶媒体を前述の原型装置の各ジャックから引き抜いて各情報読取り及び／又は記録装置の対応する各ソケットに該媒体を挿入せずに、リムーバブル情報記憶媒体を各情報読取り及び／又は記録装置に接続することができない。これによってリムーバブル記憶媒体から情報を出入力する過程が遅くなり、リムーバブル記憶媒体の各接点と前述の各ソケットの各接点との摩耗が著しくなる。
【先行技術文献】
【特許文献】
【０００６】
【特許文献１】ロシア実用新案証第６９３０４号
【考案の概要】
【考案が解決しようとする課題】
【０００７】
本実用新案の目的は、リムーバブル情報記憶媒体を収容及び格納用の装置の各ジャックから引き抜かずに各情報読取り及び／又は記録装置に接続する装置を提供することであり、それによってリムーバブル情報媒体の各接点と各情報読取り及び／又は記録装置の各ソケットの各接点との摩耗を軽減するだけでなく、リムーバブル記憶媒体から情報を出入力及び検索する過程を速くする。
【課題を解決するための手段】
【０００８】
本実用新案によると、各電気接点を有するリムーバブル情報記憶媒体を収容及び格納する装置が提供され、前記装置は前記リムーバブル情報記憶媒体を固定するための２つ以上のジャックを含む本体を備えており、前記ジャックのそれぞれには前記リムーバブル記憶媒体の前記各電気接点に対応する各電気接点が設けられ、前記装置には１つ以上のジャックの前記各電気接点を情報読取り及び／又は記録装置に接続できるように設計されたスイッチボードが設けられている。
【０００９】
本出願人は、本実用新案と同一の工学的解釈のデータを含むいかなる情報源も発見しておらず、 これにより本実用新案が「新規性」の基準に適合するという結論を下すことができる。
【００１０】
本実用新案は、装置の概略を示す図面を参照し、実施例によって詳細に説明される。
【図面の簡単な説明】
【００１１】
【図１】本考案の装置の概略図である。
【考案を実施するための形態】
【００１２】
各電気接点２を有するリムーバブル情報記憶媒体１を収容及び格納する装置は、特定の本実施例においてプラスチックから具体化された本体３を備える。高速ＵＳＢ２．０タイプの各フラッシュカードが、本実施例において記憶媒体１として使用される。例えばmini SPやメモリスティックなど、各電気接点を有する他の種類のリムーバブル情報記憶媒体も使用することができる。
【００１３】
本体３にはリムーバブル情報記憶媒体１を固定するための２つ以上（特に本実施例おいては５つ）のジャック４が設けられている。ジャック４にはそれぞれ記憶媒体１の各電気接点２に対応する各電気接点５が設けられている。装置には各電気接点５を情報読取り及び／又は記録装置（不図示）に接続できるように設計されたスイッチボードが設けられている。記載の実施例では、スイッチボードは、一連の５つの押しボタンスイッチ６、対応するジャック４の電気接点５に接続される各スイッチの一方の電気接点、及び末端にプラグ８を有するバス７に接続される他方の電気接点として実現され、それによって情報読取り及び／又は記録装置（記載の実施例においてはパーソナルコンピュータ）に接続できる。スイッチボードは、タッチセンサー式又は遠隔操作式の装置として実現できる。情報の転送及び遠隔操作は有線バス７を通って、又は赤外線や高周波放出を利用するなどの無線の方法で実現できる。
【００１４】
記載の実施例において、装置は以下の方法で機能する。  
本考案の装置のジャック４に位置する情報記憶媒体１は、この特定のジャックに対応するスイッチ６のボタンを押すことによって接続される。同時に２つ以上の記憶媒体１を接続することが可能である。記憶媒体１の各電気接点２は、ジャック４の各電気接点５、スイッチ６、バス７及びプラグ８を通ってパーソナルコンピュータに接続される。次に、情報が記憶媒体１から読取られ、或いは記憶媒体１に記録され、又は、１つの記憶媒体からの情報が別の記憶媒体（他の記憶媒体）に記録される。
【００１５】
本実用新案の各特徴の実現によって重要な技術的結果を達成可能し、すなわち、リムーバブル情報記憶媒体を収容及び格納する装置の各ジャックから引き抜くことなく各情報読取り及び／又は記録装置に接続できるようにし、それによってリムーバブル記憶媒体の各電気接点と各情報読取り及び／又は記録装置の各ソケットの各電気接点との磨耗を軽減するだけでなく、リムーバブル記憶媒体からの情報の出入力及び検索の過程を速める。本考案の装置は、個人用の電子手帳と統合することができる。
【産業上の利用可能性】
【００１６】
本考案の装置は、一般的な構造材及び設備によって製造できる。出願人は、これにより本実用新案が「産業上の利用可能性」の基準に適合するという結論を下すことができると考える。
【図１】
0003168039.tif 000003
【手続補正書】
【提出日】平成21年11月18日(2009.11.18)
【手続補正１】
【補正対象書類名】実用新案登録請求の範囲
【補正対象項目名】全文
【補正方法】変更
【補正の内容】
【実用新案登録請求の範囲】
【請求項１】
各電気接点を有するリムーバブル情報記憶媒体を収容及び格納する装置であって、前記リムーバブル情報記憶媒体の前記各接点を固定するための２つ以上のソケットを含む本体を備えており、前記本体には各ジャックが設けられ、前記各ソケットは前記各ジャックの下部に位置付けられ、前記各ソケットはそれぞれスイッチが設けられた別個のトランク接続を通って共通のバスに接続され、前記共通のバスにはコンピュータに接続する手段が設けられていることを特徴とする装置。
【手続補正２】
【補正対象書類名】明細書
【補正対象項目名】０００３
【補正方法】変更
【補正の内容】
【０００３】
ドライブシャトル（drive shuttle）「Case Logic JDS-2」を参照する（http://www.techhome.ru/catalog/computer/8400116A62.htm（リンクのコピーを添付する））と、各電気接点を有するリムーバブル情報記憶媒体、すなわちフラッシュカードを収容及び格納する別の既知の装置は、リムーバブル情報記憶媒体を固定するための二つのソケットを有する本体を備えている。
【手続補正３】
【補正対象書類名】明細書
【補正対象項目名】０００５
【補正方法】変更
【補正の内容】
【０００５】
しかしながら、この装置は、記憶媒体を前述の原型装置の各ソケットから引き抜いて各情報読取り及び／又は記録装置の対応する各ソケットに該媒体を挿入せずに、リムーバブル情報記憶媒体を各情報読取り及び／又は記録装置に接続することができない。これによってリムーバブル記憶媒体から情報を出入力する過程が遅くなり、リムーバブル記憶媒体の各接点と前述の各ソケットの各接点との摩耗が著しくなる。さらに、本体の外側に格納されたメモリカードに対するわずかな機械的衝撃でさえもこのメモリカードを曲げたり又は壊したりするので、本体の外側で各ソケット内に挿入された状態で情報記憶媒体を格納することは、前記情報記憶媒体の安全性を保証しない。
【手続補正４】
【補正対象書類名】明細書
【補正対象項目名】０００７
【補正方法】変更
【補正の内容】
【０００７】
本実用新案の目的は、リムーバブル情報記憶媒体を装置の各ソケットから引き抜かずに各情報読取り及び／又は記録装置に接続する装置を提供することであり、それによってリムーバブル情報媒体の各接点と各情報読取り及び／又は記録装置の各ソケットの各接点との摩耗を軽減するだけでなく、リムーバブル記憶媒体から情報を出入力及び検索する過程を速くし、さらに、本考案の装置は各ソケット内に挿入された情報記憶媒体の機械的損傷を防止する。
【手続補正５】
【補正対象書類名】明細書
【補正対象項目名】０００８
【補正方法】変更
【補正の内容】
【０００８】
本実用新案によると、各電気接点を有するリムーバブル情報記憶媒体を収容及び格納する装置が提供され、前記装置は前記リムーバブル情報記憶媒体の前記各接点を固定するための２つ以上のソケットを含む本体を備えており、前記本体には各ジャックが設けられ、前記各ソケットは前記各ジャックの下部に位置付けられ、前記各ソケットはそれぞれスイッチが設けられた別個のトランク接続を通って共通のバスに接続され、前記共通のバスにはコンピュータに接続する手段が設けられている。
【手続補正６】
【補正対象書類名】明細書
【補正対象項目名】００１２
【補正方法】変更
【補正の内容】
【００１２】
各電気接点２を有するリムーバブル情報記憶媒体１を収容及び格納する装置は、特定の本実施例においてプラスチックから具体化された本体３を備える。高速ＵＳＢ２．０タイプの各フラッシュカードが、本実施例において情報記憶媒体１として使用される。例えばmini SPやメモリスティックなど、各電気接点を有する他の種類のリムーバブル情報記憶媒体も使用することができる。
【手続補正７】
【補正対象書類名】明細書
【補正対象項目名】００１３
【補正方法】変更
【補正の内容】
【００１３】
本体３には２つ以上（特に本実施例おいては５つ）のジャック４が設けられており、記憶媒体１の各電気接点２に対応する各電気接点を有する各ソケット５は前記各ジャックの下部に設置されている。５つのソケット５はそれぞれ、スイッチ６が設けられた別個のトランク接続を通って末端にプラグ８を有する共通のバス７に接続され、それによって情報読取り及び／又は記録装置（記載の実施例においてはパーソナルコンピュータ）に接続できる。情報の転送及び遠隔操作は赤外線や高周波放出を利用するなどの無線の方法で実現できる。
【手続補正８】
【補正対象書類名】明細書
【補正対象項目名】００１５
【補正方法】変更
【補正の内容】
【００１５】
本実用新案の各特徴の実現によって重要な技術的結果を達成可能し、すなわち、リムーバブル情報記憶媒体を各ソケットから引き抜くことなく各情報読取り及び／又は記録装置に接続できるようにし、それによってリムーバブル記憶媒体の各電気接点と各情報読取り及び／又は記録装置の各ソケットの各電気接点との磨耗を軽減するだけでなく、リムーバブル記憶媒体からの情報の出入力及び検索の過程を速める。さらに、情報記憶媒体は、本体（各ジャック）内に設けられた各開口部のほぼ完全に内側に設置されるので、記憶媒体の機械的損傷の機会は事実上ないに等しい。